(57)【要約】【課題】釣り糸への取り外しが簡単な浮きを提供する。【解決手段】本体と、本体の両端にそれぞれ形成された突起とを具えてなる浮きと、突起にそれぞれ設けられる制御手段とを含み、浮きの本体の中心軸線の両端はそれぞれ突起に延伸し、本体と突起の側面は凹状の溝が形成され、溝は側面から突起、本体の中心まで形成され、突起にはそれぞれ第一係合部が形成され、制御部材は円筒状を呈し、一端に形成された封鎖された表面と、環状の側面とを具えてなり、制御手段の側面の軸方向から表面の外周から中心までの直径方向に制御溝が形成され、制御溝と溝を１つの直線上に位置するように対応するように設け、制御溝が表面の中心点まで形成され、側面の内側に第二係合部が形成され、第一、第二係合部の連結を利用して互いに回転させることができ、制御手段を回転して制御溝と溝とを対応させるか、もしくは分離できる構造からなる。【選択図】図２
0003128134.tif 000002
【実用新案登録請求の範囲】
【請求項１】
本体と、該本体の両端にそれぞれ形成された突起とを具えてなる浮きと、
該突起にそれぞれ設けられる制御手段とを含んでなり、
該浮きの本体の中心軸線の両端はそれぞれ突起に延伸し、本体と突起の側面は凹状の釣り糸を設けるために供する溝が形成され、該溝は側面から突起、本体の中心まで形成され、該突起にはそれぞれ第一係合部が形成され、
該制御部材は円筒状を呈し、一端に形成された封鎖された表面と、環状の側面とを具えてなり、制御手段の側面の軸方向から表面の外周から中心までの直径方向に釣り糸を設けるために供する制御溝が形成され、該制御溝と溝を１つの直線上に位置するように対応するように設け、制御溝が表面の中心点まで形成され、側面の内側に第二係合部が形成され、第一、第二係合部の連結を利用して互いに回転させることができ、制御手段を回転して制御溝と溝とを対応させるか、もしくは分離するように設ける構造からなることを特徴とする浮き。
【請求項２】
前記本体の第一係合部は凹溝状を呈し、制御部材の第二係合部が突状に形成されることを特徴とする請求項１に記載の浮き。
【請求項３】
前記本体の溝と制御手段の制御溝が本体の中心に対応した位置にそれぞれ孔、制御孔を形成し、制御部材が円筒の蓋状に形成され、制御部材の制御溝の幅と本体の溝の幅が同じサイズに形成されることを特徴とする請求項１に記載の浮き。
【考案の詳細な説明】
【技術分野】
【０００１】
この考案は、浮きに関し、特に釣りをする場合に釣り糸に設けて使用する浮きに関する。
【背景技術】
【０００２】
釣りは穏やかな心を養うレジャーである。また、自然に近づくことができるだけでなく、自分自身の我慢強さも養うことができる。釣り糸には浮きを設ける必要がある。該浮きの浮き沈みは、魚が釣り針にかかっているかどうかを示すとともに、魚が釣り針のえさをついばんでいるかどうかを示す。
【０００３】
また、浮きのサイズや規格、形態、色は、釣りの環境（えび釣り、海釣り、沖釣りなど）によって異なり、多種多様に変化させることができる。
【０００４】
浮きは釣り糸と竿の略中間に設けられる。従来の浮きは、浮きを変更する場合、浮きの上方の竿に近い部分の釣り糸を切断し、元の浮きを外してから新しい浮きを釣り糸に設けなければならない。よって、浮きを交換するたびに釣り糸を切断し、適宜な浮きを釣り糸に設けなければならないとともに、浮きの浮力が設定された情況に適しているかどうかテストしなければならない。これは釣り人にとって、浮きの交換を複雑にするため、実用的でない。よって、簡単に交換することができる浮きを開発する必要がある。
【０００５】
また、従来、魚を捕獲するための網は、破れて使用することができない場合、網の上に固定して設けられた浮きもいっしょに廃棄しなければならない。よって、経済的でなく、改良する必要がある。
【考案の開示】
【考案が解決しようとする課題】
【０００６】
この考案は、釣り糸への取り外しが簡単な浮きを提供することを課題とする。
【課題を解決するための手段】
【０００７】
そこで、本考案者は従来の技術に見られる欠点に鑑みて鋭意研究を重ねた結果、本体と、該本体の両端にそれぞれ形成された突起とを具えてなる浮きと、
該突起にそれぞれ設けられる制御手段とを含んでなり、
該浮きの本体の中心軸線の両端はそれぞれ突起に延伸し、本体と突起の側面は凹状の釣り糸を設けるために供する溝が形成され、該溝は側面から突起、本体の中心まで形成され、該突起にはそれぞれ第一係合部が形成され、
該制御部材は円筒状を呈し、一端に形成された封鎖された表面と、環状の側面とを具えてなり、制御手段の側面の軸方向から表面の外周から中心までの直径方向に釣り糸を設けるために供する制御溝が形成され、該制御溝と溝を１つの直線上に位置するように対応するように設け、制御溝が表面の中心点まで形成され、側面の内側に第二係合部が形成され、第一、第二係合部の連結を利用して互いに回転させることができ、制御手段を回転して制御溝と溝とを対応させるか、もしくは分離するように設ける構造によって課題を解決できる点に着眼し、かかる知見に基づいて本考案を完成させた。
【０００８】
以下、この考案について具体的に説明する。
請求項１に記載の浮きは、本体と、該本体の両端にそれぞれ形成された突起とを具えてなる浮きと、
該突起にそれぞれ設けられる制御手段とを含んでなり、
該浮きの本体の中心軸線の両端はそれぞれ突起に延伸し、本体と突起の側面は凹状の釣り糸を設けるために供する溝が形成され、該溝は側面から突起、本体の中心まで形成され、該突起にはそれぞれ第一係合部が形成され、
該制御部材は円筒状を呈し、一端に形成された封鎖された表面と、環状の側面とを具えてなり、制御手段の側面の軸方向から表面の外周から中心までの直径方向に釣り糸を設けるために供する制御溝が形成され、該制御溝と溝を１つの直線上に位置するように対応するように設け、制御溝が表面の中心点まで形成され、側面の内側に第二係合部が形成され、第一、第二係合部の連結を利用して互いに回転させることができ、制御手段を回転して制御溝と溝とを対応させるか、もしくは分離するように設ける構造からなる。
【０００９】
請求項２に記載の浮きは、請求項１における本体の第一係合部が凹溝状を呈し、制御部材の第二係合部が突状に形成される。
【００１０】
請求項３に記載の浮きは、請求項１における本体の溝と制御手段の制御溝が本体の中心に対応した位置にそれぞれ孔、制御孔を形成し、制御部材が円筒の蓋状に形成され、制御部材の制御溝の幅と本体の溝の幅が同じサイズに形成される。
【考案の効果】
【００１１】
この考案による浮きは、部品の数が少なく構造が簡単で、コストを抑えることができ、操作が簡単であるという効果を有する。
【００１２】
また、この考案の浮きは、釣り糸への装着取り外しが簡単で実用的であるという効果を有する。
【考案を実施するための最良の形態】
【００１３】
この考案は、釣り糸への取り外しが簡単な浮きであって、本体と、該本体の両端にそれぞれ形成された突起とを具えてなる浮きと、
該突起にそれぞれ設けられる制御手段とを含んでなり、
該浮きの本体の中心軸線の両端はそれぞれ突起に延伸し、本体と突起の側面は凹状の釣り糸を設けるために供する溝が形成され、該溝は側面から突起、本体の中心まで形成され、該突起にはそれぞれ第一係合部が形成され、
該制御部材は円筒状を呈し、一端に形成された封鎖された表面と、環状の側面とを具えてなり、制御手段の側面の軸方向から表面の外周から中心までの直径方向に釣り糸を設けるために供する制御溝が形成され、該制御溝と溝を１つの直線上に位置するように対応するように設け、制御溝が表面の中心点まで形成され、側面の内側に第二係合部が形成され、第一、第二係合部の連結を利用して互いに回転させることができ、制御手段を回転して制御溝と溝とを対応させるか、もしくは分離するように設ける構造と特徴を詳述するために具体的な実施例を挙げ、図示を参照にして以下に説明する。
【実施例】
【００１４】
図１に開示するように、この考案の浮きは、浮き１０と、該浮き１０の両端にそれぞれ接続して設けられた制御手段２０とを含んでなる。該制御手段２０は浮き１０と回動自在に接続し、制御手段２０の回転を通して、浮き１０の目標における釣り糸３０を制御することができる。
【００１５】
図１、２、３に開示するように、浮き１０は本体１１と、該本体１１の中心軸線の両端に外方向へ延伸して形成された円柱状の突起１２と、該突起の外周縁部に凹設された環状の第一係合部１２１と、該本体１１から突起１２の側面に形成された溝１３とを含んでなる。
【００１６】
該本体１１はこの実施例において球形に形成されているが、その他の形状を呈するように形成してもよい。該溝１３は、一方の突起１２の表面の直径方向から外周面を通過し、本体１１の中心軸線に沿って他方の突起１２の外周面から表面の直径方向まで形成される。それぞれの突起１２の表面の中心にあたる最も内側は円形を呈する孔１３１が形成され、釣り糸３０が孔１３１の内部で移動することができ、鋭利な内壁で傷つけられることがない。
【００１７】
制御手段２０は円形の蓋状を呈してなり、突起１２に嵌合するように形成される。外側の表面２１は、側面２２とを具えてなる。また、制御手段２０は、側面２２の軸方向から表面２１の直径方向に至るまでの範囲に制御溝２３が形成される。
【００１８】
該制御溝２３と溝１３の幅は対応して形成される。該制御溝２３は表面２１の中心点まで形成され、中心には突起１２の表面の孔１３１と同様に円形を呈する制御孔２３１が形成される。よって、制御手段２０の制御溝２３の分布する範囲に対応して本体１１の突起１２に形成された溝１３が形成される。
【００１９】
制御手段２０は側面２２の内側の第一係合部１２１に対応する位置に、内側に突出した第二係合部２４を環状に形成する。また、図３、図７に開示するように、制御手段２０は突起１２に嵌合して設けられる。制御手段２０の第二係合部２４と第一係合部１２１の凹凸を利用して組み合わせると、制御手段２０が押し圧され、軸方向に抜け落ちることがないように浮き１０に本体１１に接続される。
【００２０】
また、制御手段２０と本体１１はそれぞれ第二係合部２４と第一係合部１２１が環状に組み合わせられるため、手で制御手段２０を動かすと、突起１２の側面が回転し、制御手段２０の制御溝２３を突起１２の溝１３に合わせるか、もしくは離して設けることができる。よって、図１に開示するように、制御手段２０を回転して側面２２から表面２１に形成された制御溝２３を突起１２の溝１３から分離して設けることができる。
【００２１】
釣りをすれば、この考案の浮き１０の良さを確認することができる。図１、図３、図５に開示するように、制御手段２０の制御溝２３と、本体１１の溝１３を一つの直線を形成するような位置に設けて、開口を形成する。釣り糸３０は、浮き１０の側面に形成された開口から制御溝２３を通して溝１３に設ける。
【００２２】
図２、図４、図６に開示するように、制御手段２０を回転して制御溝２３が突起１２の溝１３から離れた位置に設けると、釣り糸３０が制御手段２０で封鎖された空間に設けられて、本体１１の溝１３の内部に封鎖された状態を形成する。よって、釣り糸３０が孔１３１の内部に位置し、制御孔２３１に対応する空間内で回動自在に設けられ、釣り糸３０が抜け落ちることがない。
【００２３】
釣りをする場合、浮き１０の両端に位置する釣り糸３０に孔１３１、２３１の孔径よりも球径の大きい当止部材３２を組み合わせ必要がある。該当止部材３２により浮き１０が釣り糸３０に維持される（当止部材３２はこの考案の特徴でなく、周知の技術であるため、図１に開示し、他の図面には表示しない）。
【００２４】
浮き１０を取り外す場合、制御手段２０を回転して、制御溝２３と本体１１の溝１３が１つの直線上に位置するように合わせると、釣り糸３０が制御手段２０に封鎖されることがなく、制御溝２３と溝１３により浮き１０の側面に形成された開口から釣り糸３０を取り出すことができるため、実用的であり、釣り糸３０を切断する必要がない。
【００２５】
また、制御手段２０は、本体１１に回動自在に接続しているため、釣り糸３０を外したり、浮き１０を設ける時に便利である。しかしながら、制御手段２０と本体１１はそれぞれ完全に独立した２つの部材から形成されているわけではないので、浮き１０を交換する場合、制御手段２０を無くす、忘れることがない。
【００２６】
図８に開示するように、制御手段２０は側面２２に第二係合部２４に対応する位置に金属で押し型成型して凹溝２２１を形成してもよい。即ち、該制御手段２０に形成された第二係合部２４は側面２２が直線、もしくは凹溝２２１もしくはその他の形状に形成しても同様の効果を達成することができる。
【００２７】
この考案の浮きは側面に溝が形成され、両端に抜け落ちることがなく、対応して回転する制御部材が設けられ、該制御部材の溝に対応する位置に制御溝が形成されているため、制御溝と溝を１つの直線上に位置するように設けると釣り糸、もしくは魚を捕獲する網をに浮きに設けやすく、制御手段を回転させると、浮きが釣り糸、もしくは魚を捕獲する網にコア亭する目的を達成することができるため、操作が簡単で、釣り糸、魚を捕獲する網を切断する必要がなく、浮きを設ける時間を節減し、過程を簡単にする目的を達成する。
【００２８】
制御手段は第二係合部が本体の第一係合部に連結しているため、制御手段が本体から抜け落ちることがなく、制御手段は本体で回転するが、軸方向に移動することがなく、浮きを交換する場合に、それぞれを取り外す必要がなく、制御手段を回転すれば、浮きと釣り糸、もしくは魚を捕獲する網とを分離、装着することができる。また、制御手段は完全に独立している部材ではないため、無くしたり、忘れることがない。
【００２９】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００３０】
【図１】この考案の浮きを示した斜視図である。
【図２】この考案の浮きを示した分解図である。
【図３】この考案の浮きに釣り糸を設ける場合を示した断面図である。
【図４】この考案の浮きに釣り糸を設けた状態を示した断面図である。
【図５】この考案の浮きに釣り糸を設ける場合を示した軸方向の断面図である。
【図６】この考案の浮きに釣り糸を設けた状態を示した軸方向の断面図である。
【図７】この考案の浮きに制御手段を設ける場合を示した局部拡大図である。
【図８】この考案の浮きに制御手段を設ける場合のもう１つの実施例を示した局部拡大図である。
【符号の説明】
【００３１】
１０ 浮き
１１ 本体
１２ 突起
１２１ 第一係合部
１３ 溝
１３１ 孔
２０ 制御手段
２１ 表面
２２ 側面
２２１ 凹溝
２３ 制御溝
２３１ 制御孔
２４ 第二係合部
３０ 釣り糸
３２ 当止部材
【図１】
0003128134.tif 000003
【図２】
0003128134.tif 000004
【図３】
0003128134.tif 000005
【図４】
0003128134.tif 000006
【図５】
0003128134.tif 000007
【図６】
0003128134.tif 000008
【図７】
0003128134.tif 000009
【図８】
0003128134.tif 000010